(57)【要約】      （修正有）【課題】経済性を備えた簡易な構成により、雪下ろし点から十分に離れた安全な位置で、雪庇を含む屋根面の雪を手動で地上にかき下ろす雪下ろし機を提供する。【解決手段】棟１ａの両端近傍に支持具２Ａ，２Ｂを固設し、屋根面１ｂ側にガイド用のスリット４ａが開口された管状体４の両端近傍を支持具２Ａ，２Ｂに固定し、管状体４内には滑動自在とした滑子１１を設け、一端が滑子１１に取付けられ他端が地上まで延在するワイヤロープ１２を設け、ワイヤロープ１２を摺動案内するガイドパイプ１３を屋根面１ｂの下方側に設置し、地面側で摺動案内するガイドバー１５を軒先１ｄから適宜量離間した位置における地面から所要の高さ位置に横設し、ワイヤロープ１２をガイドパイプ１３及びガイドバー１５を摺動させつつワイヤロープ１２の他端部を左右移動させてワイヤロープ１２により雪庇を含む屋根面１ｂ上の雪をかき下ろす雪下ろし機を提供する。【選択図】図１
2011080263.tif 000002
【特許請求の範囲】
【請求項１】
屋根における棟の長手方向両端近傍にそれぞれ支持具を固設し、屋根面側にガイド用のスリットが開口された管状体の両端近傍を前記支持具にそれぞれ固定し、前記管状体には前記スリットから抜け止めされた状態で該管状体内を滑動自在とされた滑子を設け、一端が前記滑子に取付けられ他端が地上まで延在するワイヤロープを設け、該ワイヤロープを摺動案内するガイドパイプを前記屋根面の下方側に前記管状体にほぼ平行させて設置し、地面側で前記ワイヤロープを摺動案内するガイドバーを軒先から適宜量離間した位置における地面から所要の高さ位置に前記ガイドパイプにほぼ平行させて横設し、前記ワイヤロープを前記ガイドパイプ及び前記ガイドバーを摺動させつつ前記ワイヤロープの他端部を左右移動させて該ワイヤロープにより雪庇を含む屋根面上の雪をかき下ろすようにしたことを特徴とする雪下ろし機。
【請求項２】
上記管状体内を滑動自在とされた滑子に代えて、上記管状体内をコロ軸を中心に回転して転動自在とされたコロを設け、上記ワイヤロープの一端は前記コロ軸に取付けたことを特徴とする請求項１記載の雪下ろし機。
【発明の詳細な説明】
【技術分野】
【０００１】
本発明は、雪下ろし機に関するものであり、特に、雪庇を含む屋根面の雪を雪下ろし点から十分に離れた安全な位置で手動で地上にかき下ろすことが可能な雪下ろし機に関するものである。
【背景技術】
【０００２】
住宅の屋根に積雪があり自然落下しない場合は、いつ落下するか分からないことから軒下を通る歩行者等に対し危険が与えられる。このため、強制的な雪下ろしが必要となるが、ショベルカー等の大掛かりな機器の使用は、経費も多くかかり、またショベルカー等の大掛かりな機器は住宅の近くまで入り込ませること自体に無理が伴う。
【０００３】
この雪下ろしに関連する従来技術として、例えば、次のような屋根の雪庇切断装置が知られている。この従来技術は、屋根の軒先部両端の破風部にそれぞれ支持柱を固定し、該両支持柱の頭部間に張架したワイヤにリングを移動自在に通し、該リングに地上まで届く被覆ワイヤを吊着して設けている。そして、雪庇ができたときに被覆ワイヤの先を手動で一方向に引き寄せることにより、ワイヤに通したリングを移動させ、被覆ワイヤで軒先部に積もった雪庇を切り落とすようにしている（例えば、特許文献１参照）。
【先行技術文献】
【特許文献】
【０００４】
【特許文献１】特開２００１−４０９０８号公報
【発明の概要】
【発明が解決しようとする課題】
【０００５】
特許文献１に記載の従来技術においては、比較的簡易な構成であるが、切り落とすのは、軒先部に積もった雪庇のみである。軒先に雪庇ができるときには、屋根面にもかなりの量の積雪が生じているのが普通であると考えられる。したがって、軒下を通る歩行者等にとって安全であると言えるためには、雪庇の切り落としとともに屋根面の雪下ろしも必要である。また、雪庇を切り落とす際には、一端をリングに吊着した被覆ワイヤの他端を直接手動で一方向に引き寄せるようにしている。このため、引き寄せる位置によっては、切り落とされる雪庇により引き寄せる人間に危険が伴うことが考えられる。
【０００６】
そこで、経済性を備えた簡易な構成により、雪下ろし点から十分に離れた安全な位置で雪庇を含む屋根面の雪を手動で地上にかき下ろすために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、屋根における棟の長手方向両端近傍にそれぞれ支持具を固設し、屋根面側にガイド用のスリットが開口された管状体の両端近傍を前記支持具にそれぞれ固定し、前記管状体には前記スリットから抜け止めされた状態で該管状体内を滑動自在とされた滑子を設け、一端が前記滑子に取付けられ他端が地上まで延在するワイヤロープを設け、該ワイヤロープを摺動案内するガイドパイプを前記屋根面の下方側に前記管状体にほぼ平行させて設置し、地面側で前記ワイヤロープを摺動案内するガイドバーを軒先から適宜量離間した位置における地面から所要の高さ位置に前記ガイドパイプにほぼ平行させて横設し、前記ワイヤロープを前記ガイドパイプ及び前記ガイドバーを摺動させつつ前記ワイヤロープの他端部を左右移動させて該ワイヤロープにより雪庇を含む屋根面上の雪をかき下ろすようにした雪下ろ
し機を提供する。
【０００８】
この構成によれば、ワイヤロープは予め屋根面の一方の端に寄せておく。積雪があって雪下ろしをする際は、軒先から十分に離れたガイドバーの手前側でワイヤロープの他端部を把持し、該ワイヤロープを屋根面の他方の端側に移動させ、また一方の端側に引き戻すというように左右移動させる。このときワイヤロープは、その中途部分がガイドバーを摺動し、一端部は滑子が管状体内を滑動することで屋根面等との摩擦が軽減される。このようにして屋根面上を横移動するワイヤロープにより雪庇を含む屋根面上の雪がかき下ろされる。ワイヤロープは当初は緊張状態で横移動させ、次に弛緩状態で横移動させるなど適宜に横移動の状態を調整することで雪庇を含む屋根面上の雪が効果的にかき下ろされる。
【０００９】
請求項２記載の発明は、請求項１記載の発明において、上記管状体内を滑動自在とされた滑子に代えて、上記管状体内をコロ軸を中心に回転して転動自在とされたコロを設け、上記ワイヤロープの一端は前記コロ軸に取付けた雪下ろし機を提供する。
【００１０】
この構成によれば、ワイヤロープを横移動させるとき、その一端部の摩擦が一層軽減して雪庇を含む屋根面上の雪のかき下ろし容易性が得られる。
【発明の効果】
【００１１】
請求項１記載の発明は、雪下ろしをする際に軒先から十分に離れたガイドバーの手前側でワイヤロープの他端部を左右移動させることで、雪下ろし点から十分に離れた安全な位置で雪庇を含む屋根面の雪を手動で地上にかき下ろすことができる。また、雪下ろし機は、棟の両端近傍に支持具で固定した管状体、該管状体内を滑動自在とされた滑子、該滑子から地上まで延在するワイヤロープ、屋根面に設置したガイドパイプ及び地面に横設したガイドバーから成り、簡易な構成で十分に経済性が得られるという利点がある。
【００１２】
請求項２記載の発明は、請求項１記載の発明の効果に加えてさらに、ワイヤロープを横移動させるときの一端部の摩擦が一層軽減して雪庇を含む屋根面上の雪を一層容易にかき下ろすことができるという利点がある。
【図面の簡単な説明】
【００１３】
図は本発明の実施例に係る雪下ろし機を示すものである。
【図１】実施例１の雪下ろし機を示し、（ａ）は全体構成を示す斜視図、（ｂ）は滑子部分の側面図、（ｃ）は図（ｂ）のＸ−Ｘ線に沿う断面図。
【図２】図１（ａ）の側面図。
【図３】図１（ａ）における支持具の拡大斜視図であり、（ａ）は支持具２Ａ、（ｂ）は支持具２Ｂ。
【図４】実施例２に適用されるコロの側面図。
【発明を実施するための形態】
【００１４】
本発明は、経済性を備えた簡易な構成により、雪下ろし点から十分に離れた安全な位置で雪庇を含む屋根面の雪を手動で地上にかき下ろすという目的を達成するために、屋根における棟の長手方向両端近傍にそれぞれ支持具を固設し、屋根面側にガイド用のスリットが開口された管状体の両端近傍を前記支持具にそれぞれ固定し、前記管状体には前記スリットから抜け止めされた状態で該管状体内を滑動自在とされた滑子を設け、一端が前記滑子に取付けられ他端が地上まで延在するワイヤロープを設け、該ワイヤロープを摺動案内するガイドパイプを前記屋根面の下方側に前記管状体にほぼ平行させて設置し、地面側で前記ワイヤロープを摺動案内するガイドバーを軒先から適宜量離間した位置における地面から所要の高さ位置に前記ガイドパイプにほぼ平行させて横設し、前記ワイヤロープを前記ガイドパイプ及び前記ガイドバーを摺動させつつ前記ワイヤロープの他端部を左右移動
させて該ワイヤロープにより雪庇を含む屋根面上の雪をかき下ろすようにして実現した。
【実施例１】
【００１５】
以下、本発明の好適な実施例１を図１の（ａ）、（ｂ）、（ｃ）、図２及び図３の（ａ）、（ｂ）を参照して説明する。まず、本実施例に係る雪下ろし機の構成を説明する。図１（ａ）に示すように、屋根１の頂部部分である棟１ａの長手方向両端近傍にそれぞれ支持具２Ａ，２Ｂが固設され、該両支持具２Ａ，２Ｂ間に架け渡されるように雪割板として機能する平板３が立設して固定されている。該平板３の前面部に該平板３と一体で且つ両端近傍が前記両支持具２Ａ，２Ｂに固定された管状体４が設置されている。管状体４は直径３０ｍｍφ程度の円管が用いられ、その屋根面１ｂ側にガイド用のスリット４ａが開口されている。
【００１６】
図３の（ａ）、（ｂ）は、前記支持具２Ａ，２Ｂを、それぞれ拡大して詳細に示している。図３（ａ）に示す支持具２Ａは、円形の支持台５の下面中央に所要長さの支持柱体６が垂設され、該支持柱体６の周囲に３個の脚部７，８，９が取付けられている。該脚部７，８，９は、それぞれ主脚部７ａ，８ａ，９ａと副脚部７ｂ，８ｂ，９ｂとからなり、各副脚部７ｂ，８ｂ，９ｂは、各主脚部７ａ，８ａ，９ａに対し、各ねじ部７ｃ，８ｃ，９ｃの締戻し及び締込みにより、それぞれ開き具合（曲げ具合）が調節可能となっている。また、２個の脚部７，８における主脚部７ａ，８ａのほぼ中間高さ位置には補強用の横板１０が架設されている。
【００１７】
図３（ｂ）に示す支持具２Ｂは、脚部が７，８の２脚のみで、前記脚部９が設けられていない点を除いては、前記支持具２Ａとほぼ同様に構成されている。両支持具２Ａ，２Ｂは、上記のように構成され、図１（ａ）及び図２に示すように、両支持具２Ａ，２Ｂ共に、支持柱体６の下端が棟１ａの部分に当接し、脚部７，８における各副脚部７ｂ，８ｂが屋根面１ｂの勾配に沿うように、その開き具合が調節されて、前記のように、棟１ａの長手方向両端近傍にそれぞれ設置されている。
【００１８】
そして、前記平板３は、その両端近傍が両支持具２Ａ，２Ｂにおける各支持台５上に固着して立設され、また、前記管状体４は、その背面側が平板３に固着されるとともに両端近傍が両支持具２Ａ，２Ｂにおける各支持台５上に固着されている。このように、平板３及び管状体４の両端近傍が両支持具２Ａ，２Ｂ上に固着された状態で、両支持具２Ａ，２Ｂにおける横板１０等と、屋根１の図１（ａ）における左右両破風１ｃ部分等の上部位置に突設された図示しない掛止具等との間に図示しない脚固定用ロープが緊張状態で掛渡されて両支持具２Ａ，２Ｂは、棟１ａの長手方向両端近傍に強固に固定されている。
【００１９】
該両支持具２Ａ，２Ｂ上に、その両端近傍が固着された前記管状体４には、スリット４ａから抜け止めされた状態で該管状体４内を滑動自在とされた滑子１１が設けられ、一端が該滑子１１に取付けられ他端が地上まで延在する雪かき用のワイヤロープ１２が設けられている。図１の（ｂ）（ｃ）は、滑子１１の構成例を示している。図の例の滑子１１は、ワイヤロープ１２の一端側を適宜長さ位置で二つ折りにし、該二つ折りにした部分に適宜にスペーサ部材１１ａを沿わした上で、細い針金１１ｂを緊縛状態に巻回し、断面がほぼ円形に形成されている。この滑子１１の形成は、スリット４ａに臨ませたワイヤロープ１２の一端側を管状体４端部の開口部から外部に引出して行う。滑子１１の形成後、管状体４端部の開口部は、適宜に閉塞する。
【００２０】
前記屋根面１ｂの下方側には、ワイヤロープ１２を摺動案内するガイドパイプ１３が前記管状体４にほぼ平行に設置され、また軒先１ｄから適宜量離間した位置における地面には、２本の支柱１４ａ，１４ｂにより所要の高さ位置に支持されたガイドバー１５が前記ガイドパイプ１３にほぼ平行に横設されている。ガイドバー１５は、地面側でワイヤロー
プ１２を摺動案内するものである。前記ガイドパイプ１３及びガイドバー１５には、それぞれ鉄パイプ又は青竹等が用いられている。
【００２１】
次に、上述のように構成された雪下ろし機の作用を説明する。ワイヤロープ１２は、予め屋根面１ｂの一方の端、例えば図１（ａ）における右端側に寄せておく。積雪があって雪下ろしをする際は、図１（ａ）及び図２に示すように、軒先１ｄから十分に離れたガイドバー１５の手前側でワイヤロープ１２の他端部を把持し、該ワイヤロープ１２をガイドパイプ１３及びガイドバー１５を摺動させつつ屋根面１ｂの他方の端側に移動させ、また一方の端側に引き戻すというように左右移動させる。
【００２２】
このときワイヤロープ１２は、その中途部分が上記のようにガイドパイプ１３を摺動し、一端部は滑子１１が管状体４内を滑動することで屋根面１ｂ等との摩擦が軽減される。このようにして屋根面１ｂ上を横移動するワイヤロープ１２により雪庇を含む屋根面１ｂ上の雪がかき下ろされる。ワイヤロープ１２は当初は緊張状態で横移動させ、次に弛緩状態で横移動させるなど適宜に横移動の状態を調整することで雪庇を含む屋根面１ｂ上の雪が効果的にかき下ろされる。
【００２３】
上述したように、本実施例に係る雪下ろし機においては、雪下ろしをする際に軒先１ｄから十分に離れたガイドバー１５の手前側でワイヤロープ１２の他端部を左右移動させることで、雪下ろし点から十分に離れた安全な位置で雪庇を含む屋根面の雪を手動で地上にかき下ろすことができる。
【００２４】
雪下ろし機は、棟１ａの両端近傍に支持具２Ａ，２Ｂで固定した管状体４、該管状体４内を滑動自在とされた滑子１１、該滑子１１から地上まで延在するワイヤロープ１２、屋根面１ｂに設置したガイドパイプ１３及び地面に横設したガイドバー１５から成り、簡易な構成で十分に経済性が得られる。
【実施例２】
【００２５】
本発明の実施例２を図４を参照して説明する。本実施例は、実施例１における前記滑子１１に代えて、前記記管状体４内をコロ軸１６ａを中心に回転して転動自在としたコロ１６を設け、前記ワイヤロープ１２の一端をコロ軸１６ａに取付けたものである。図の例では、ワイヤロープ１２の一端をリング状に形成し、このリング１２ａの部分で、ワイヤロープ１２の一端をコロ軸１６ａに取付けている。コロ軸１６ａには、管状体４におけるスリット４ａからの抜け止め１６ｂが形成されている。
【００２６】
管状体４内へのコロ１６の組込みは、例えば、スリット４ａを管状体４の一端側開口部まで形成しておき、この開口部からコロ軸１６ａをスリット４ａに差し込むようにしてコロ１６全体を管状体４内へ組入れる。コロ１６の組入れ後は、管状体４の開口端に図示しないキャップを嵌め込み、開口端を閉塞する。
【００２７】
本実施例２では、ワイヤロープ１２を横移動させるときの一端部の摩擦が一層軽減して雪庇を含む屋根面１ｂ上の雪を一層容易にかき下ろすことができる。
【００２８】
なお、本発明は、本発明の精神を逸脱しない限り種々の改変をなすことができ、そして、本発明が該改変されたものにも及ぶことは当然である。
【産業上の利用可能性】
【００２９】
経済性を備えた簡易な構成により、雪下ろし点から十分に離れた安全な位置で雪庇を含む屋根面の雪を手動で地上にかき下ろすことが不可欠なワイヤロープ使用以外の雪下ろし機に適用することが可能である。
【符号の説明】
【００３０】
１            屋根
１ａ          棟
１ｂ          屋根面
１ｃ          破風
１ｄ          軒先
２Ａ，２Ｂ    支持具
３            平板
４            管状体
４ａ          スリット
５            支持台
６            支持柱体
７            脚部
８            脚部
９            脚部
１０            横板
１１            滑子
１２            ワイヤロープ
１３            ガイドパイプ
１４ａ，１４ｂ  支柱
１５            ガイドバー
１６            コロ
１６ａ          コロ軸
【図１】
2011080263.tif 000003
【図２】
2011080263.tif 000004
【図３】
2011080263.tif 000005
【図４】
2011080263.tif 000006